(57)【要約】      （修正有）【課題】  建物の構造・躯体全体への通気性を向上させると共に、輻射熱を遮断することができ、しかも簡単に施工ができる住宅の断熱・防湿・熱反射構造を提供する。【解決手段】  夫々の部屋の周囲に位置する外壁の構造・躯体２及び間仕切壁の構造・躯体２の室内側に、断熱・防湿・熱反射シート１が設けられ、前記断熱・防湿・熱反射シート１の室内側に内装仕上材４が設けられると共に、外壁の構造・躯体２の室外側に構造用合板が配設され、前記構造用合板の室外側に外装仕上材６が設けられ、前記断熱・防湿・熱反射シート１と構造用合板との間に、外気に通じる通気路７が形成され、かつ間仕切壁の構造・躯体２の両側に、夫々断熱・防湿・熱反射シート１が設けられると共に、前記各断熱・防湿・熱反射シート１の室内側に内装仕上材４が設けられ、前記断熱・防湿・熱反射シート１との間に、外気に通じる通気路７が形成されている。【選択図】  図３
2006249769.tif 000002
【特許請求の範囲】
【請求項１】
住宅の断熱・防湿・熱反射構造であって、
夫々の部屋の周囲に位置する外壁の構造・躯体及び間仕切壁の構造・躯体に、施工される住宅の断熱・防湿・熱反射構造において、
外壁の構造・躯体の室内側に、断熱・防湿・熱反射シートが設けられ、前記断熱・防湿・熱反射シートの室内側に内装仕上材が設けられると共に、外壁の構造・躯体の室外側に構造用合板が配設され、前記構造用合板の室外側に外装仕上材が設けられ、前記断熱・防湿・熱反射シートと構造用合板との間に、外気に通じる通気路が形成され、
かつ間仕切壁の構造・躯体の両側に、夫々断熱・防湿・熱反射シートが設けられると共に、前記各断熱・防湿・熱反射シートの室内側に内装仕上材が設けられ、前記断熱・防湿・熱反射シートとの間に、外気に通じる通気路が形成されていることを特徴とする住宅の断熱・防湿・熱反射構造。
【請求項２】
前記外壁の構造・躯体における断熱・防湿・熱反射シートと内装仕上材の間及び構造用合板と外装仕上材の間に胴ぶちが設けられると共に、
間仕切壁の構造・躯体における断熱・防湿・熱反射シートと内装仕上材との間に胴ぶちが設けられていることを特徴とする請求項１記載の住宅の断熱・防湿・熱反射構造。
【請求項３】
住宅の各部屋の天井には、天井野縁の下に断熱・防湿・熱反射シートが設けられていることを特徴とする請求項１または請求項２記載の住宅の断熱・防湿・熱反射構造。
【請求項４】
住宅の各部屋の床には、床根太の下に断熱・防湿・熱反射シートが設けられていることを特徴とする請求項１乃至請求項３のいずれか記載の住宅の断熱・防湿・熱反射構造。
【請求項５】
既存住宅に対して新に施工される住宅の断熱・防湿・熱反射構造であって、夫々の部屋を構成する既存の内装仕上材に施工される住宅の断熱・防湿・熱反射構造において、
前記既存の内装仕上材の室内側に断熱・防湿・熱反射シートが設けられ、前記断熱・防湿・熱反射シートの室内側に新たな内装仕上材が設けられていることを特徴とする住宅の断熱・防湿・熱反射構造。
【請求項６】
前記断熱・防湿・熱反射シートと前記新たな内装仕上材の間に、胴ぶちが設けられていることを特徴とする請求項５記載の住宅の断熱・防湿・熱反射構造。
【請求項７】
住宅の各部屋の天井には、既存の天井仕上材の室内側に断熱・防湿・熱反射シートが設けられていることを特徴とする請求項５または請求項６記載の住宅の断熱・防湿・熱反射構造。
【請求項８】
住宅の各部屋の床には、既存の床仕上材と床根太の間に断熱・防湿・熱反射シートが設けられていることを特徴とする請求項５乃至請求項７のいずれか記載の住宅の断熱・防湿・熱反射構造。
【請求項９】
前記断熱・防湿・熱反射シートは、多数の小さな空気室が設けられたエアマットの表裏面を、アルミ箔で覆ったシート、あるいは、板状断熱材のポリスチレンフォームの表裏面をアルクラフト紙で覆ったシートであることを特徴とする請求項１乃至請求項８のいずれか記載の住宅の断熱・防湿・熱反射構造。
【請求項１０】
前記断熱・防湿・熱反射シートと床仕上げ材との間には、温水配管からなる床下暖房が設けられていることを特徴とする請求項４または請求項８に記載の住宅の断熱・防湿・熱反射構造。
【発明の詳細な説明】
【技術分野】
【０００１】
本発明は、住宅の断熱・防湿・熱反射構造に関し、詳しくは、住宅の各部屋毎に断熱・防湿・熱反射に優れたシート（以下、単に断熱シートと称する。）を施工した住宅の断熱・防湿・熱反射構造に関するものである。
【背景技術】
【０００２】
我が国の一般住宅に断熱材を使用した断熱工法が採用されてから約４０年が経過し、今日においては様々な断熱工法が提案されている。また、その多くの提案が住宅の断熱に加え、防湿（結露防止）を目的としている。
【０００３】
従来の断熱工法は、外張工法と充填工法に分類することができる。
まず、外張工法を図１０に基づいて説明する。
この外張工法は、構造・躯体２の外側に、ポリフィルム等の防湿シートＳ、ポリエチレンフォーム等の断熱材Ｉの順に配設し、更にその外側に外装仕上材６を設けたものである。
この工法によれば、断熱材Ｉによる断熱効果、防湿シートＳによる防湿効果に加え、断熱材Ｉを構造・躯体２の外側に設けることにより、気密性が確保しやすいという特徴がある。また、室内スペースを狭めることなく施工できる。
【０００４】
次に、充填工法を図１１に基づいて説明する。
この工法は、構造・躯体２内にグラスウール又はロックウール等の断熱材Ｉ、ポリフィルム等の防湿シートＳの順に設け、更に構造・躯体２の室内側に内装仕上材４を配設したものである。
この工法によれば、断熱材Ｉによる断熱効果、防湿シートＳによる防湿効果に加え、断熱材Ｉを構造・躯体２内に設けることにより、前記外張工法より施工が容易となる。また、室内スペースを狭めることなく施工できる。
【０００５】
さらに、特許文献１のように、構造・躯体の室内側に発泡プラスチック板状断熱材を設けるとともに、構造・躯体の室外側に取付けられる外装仕上材との間の空間を外気に開放して通気性を向上させたものも提案されている。
【特許文献１】特開平６−３２２８５３号公報
【発明の開示】
【発明が解決しようとする課題】
【０００６】
しかしながら、従来の断熱工法や特許文献１に示されるいずれの断熱工法にあっても、住宅の外壁、屋根、天井、床、即ち、建物の外側全体に断熱材、防湿シートを施工するものである。
この断熱工法にあっては、建物の外側全体に断熱材、防湿シートを施工するものであるため、住宅の内側は密閉構造となり、住宅内部の換気性、特に住宅内部に位置する構造・躯体の換気性が良好なものでなかった。そのため、住宅内部に位置する構造・躯体に結露によるかびが発生したり、構造・躯体等の腐敗が生じたりし、予定されている耐久性が得られないという問題があった。
【０００７】
また、前記従来の断熱工法にあっては、住宅の外側全体を断熱するため、一部の部屋について断熱構造を採用しないということが困難であった。即ち、居住者の趣味、嗜好に合わせた部屋を作ることが容易ではなかった。
更に、一般的に用いられるグラスウール等の断熱材にあっては、太陽の輻射熱を反射する度合いが少なく、むしろ蓄熱体として機能する。また、断熱材に蓄えられる熱は、断熱工法により得られる密閉構造によって室外に放出され難い。このため、冬の夜間は快適な居住性を得ることができるものの、夏の夜間の室内温度は下がらず、住居性を損なうという問題があった。即ち、住宅内において、ヒートアイランド現象と同様のヒートハウス現象が起きるという問題があった。
【０００８】
また、前記従来の断熱工法では、高い精度の断熱・結露防止構造を得るのため、施工作業に熟練を要した。また、施工後の増改築においても、既存の断熱・結露防止構造を知っている同じ作業者が施工作業を行うことが望ましい。しかし、数十年後の増改築工事において、同じ作業者が施工作業を行うことは困難な場合が多く、増改築において高い精度の断熱・結露防止構造を得ることが難しいという問題もあった。
【０００９】
更に、従来の断熱工法で、建物の外側全体に断熱材、防湿シートが施工された既存住宅において、増改築により一部の断熱材を新たに施工し直す場合には、防湿対策の観点から、既存の断熱構造と新規の断熱構造との間で施工の連続性が要求される。即ち、不連続に施工された場合には、この部分に結露が生じ、かび等が発生する。
そのため、既存の断熱構造と新規の断熱構造との間が不連続にならないように、慎重に作業をする必要があった。
【００１０】
また、前記したように、建物の外側全体に断熱材、防湿シートを施工するものであるため、既存住宅に対して断熱施工を行う場合には、その作業が建物全体、即ち既存の内外壁、床、屋根裏等に及ぶことから、新築工事よりも複雑で、費用も高額になるという問題があった。
【００１１】
そこで、本発明は上記技術的課題を解決するためになされたものであり、各部屋毎に施工できる住宅の断熱・防湿・熱反射構造を提供することを目的とするものである。また、建物の構造・躯体全体への通気性を向上させると共に、輻射熱を遮断することでヒートハウス現象から開放でき、しかも簡単に施工ができる住宅の断熱・防湿・熱反射構造を提供することを目的とするものである。
【課題を解決するための手段】
【００１２】
上記課題を解決するためになされた本発明は、住宅の断熱・防湿・熱反射構造であって、夫々の部屋の周囲に位置する外壁の構造・躯体及び間仕切壁の構造・躯体に、施工される住宅の断熱・防湿・熱反射構造において、外壁の構造・躯体の室内側に、断熱・防湿・熱反射シートが設けられ、前記断熱・防湿・熱反射シートの室内側に内装仕上材が設けられると共に、外壁の構造・躯体の室外側に構造用合板が配設され、前記構造用合板の室外側に外装仕上材が設けられ、前記断熱・防湿・熱反射シートと構造用合板との間に、外気に通じる通気路が形成され、かつ間仕切壁の構造・躯体の両側に、夫々断熱・防湿・熱反射シートが設けられると共に、前記各断熱・防湿・熱反射シートの室内側に内装仕上材が設けられ、前記断熱・防湿・熱反射シートとの間に、外気に通じる通気路が形成されていることを特徴としている。
【００１３】
このように本発明にかかる住宅の断熱・防湿・熱反射構造にあっては、部屋毎に施工するため、住宅の内側が密閉構造とならず、住宅内部の換気性、特に住宅内部に位置する構造・躯体の換気性を良好なものとすることができる。
そのため、住宅内部に位置する構造・躯体に結露によるかびを抑制でき、構造・躯体等の腐敗を防止し、予定されている耐久性を得ることができる。
また、一部の部屋について断熱構造を採用しないということが簡単にでき、居住者の趣味、嗜好に合わせた部屋を作ることができる。
【００１４】
ここで、前記外壁の構造・躯体における断熱・防湿・熱反射シートと内装仕上材の間及び構造用合板と外装仕上材の間に胴ぶちが設けられると共に、間仕切壁の構造・躯体における断熱・防湿・熱反射シートと内装仕上材との間に胴ぶちが設けられていることが望ましい。
このように、構造用合板と外装仕上材の間に胴ぶちが設けられているため、構造・躯体内の換気性が向上し、結露等をより抑制でき、かびの発生をより抑制できる。これにより、換気性の優れた構造・躯体の環境を再現することができる。また、断熱・防湿・熱反射シートと内装仕上材の間に胴ぶちが設けられているため、電気配線や器具（コンセント，照明スイッチ）等の設置スペースを確保することができる。
【００１５】
尚、住宅の各部屋の天井には、天井野縁の下に断熱・防湿・熱反射シートが設けられていることが好ましく、また住宅の各部屋の床には、床根太の下に断熱・防湿・熱反射シートが設けられていることが好ましい。
【００１６】
上記課題を解決するためになされた本発明は、既存住宅に対して新に施工される住宅の断熱・防湿・熱反射構造であって、夫々の部屋を構成する既存の内装仕上材に施工される住宅の断熱・防湿・熱反射構造において、前記既存の内装仕上材の室内側に断熱・防湿・熱反射シートが設けられ、前記断熱・防湿・熱反射シートの室内側に新たな内装仕上材が設けられていることを特徴としている。
【００１７】
このように本発明にあっては、既存の内装仕上材の室内側に断熱・防湿・熱反射シートを設け、更に新たな内装仕上材を設けることにより施工されるため、安価に、しかも容易に行なうことができる。
しかも、従来の断熱工法で、建物の外側全体に断熱材、防湿シートが施工された既存住宅において、一部の断熱材を新たに施工し直す場合においても、別個に施工されるため、不連続に施工された場合における弊害は生じない。
【００１８】
ここで、前記断熱・防湿・熱反射シートと前記内装仕上材の間に、胴ぶちが設けられていることが望ましい。
このように、胴ぶちが設けられているため、電気配線や器具（コンセント，照明スイッチ）等の設置スペースを確保することができる。
【００１９】
尚、住宅の各部屋の天井には、既存の天井仕上材の下に断熱・防湿・熱反射シートが設けられていることが望ましく、住宅の各部屋の床には、既存の床仕上材と床根太の間に断熱・防湿・熱反射シートが設けられていることが好ましい。
【００２０】
また、前記断熱・防湿・熱反射シートは、多数の小さな空気室が設けられたエアマットの表裏面を、アルミ箔で覆ったシート、あるいは、板状断熱材のポリスチレンフォームの表裏面をアルクラフト紙で覆ったシートであることが望ましい。
このような断熱・防湿・熱反射シートは、太陽の輻射熱を反射する度合いが多く、蓄熱体としての機能が抑制される。したがって、夏の夜間には室内温度は下がり、快適な住居性を維持できる。即ち、本来の日本住宅と同様に、夏の夜間における居住性が確保でき、更に、省エネルギーの観点からも冷房費を抑制できる。
【００２１】
更に、前記断熱・防湿・熱反射シートと床仕上げ材との間には、温水配管からなる床下暖房が設けられていることが望ましい。
【発明の効果】
【００２２】
上述のように本発明によれば、各部屋毎に施工できる住宅の断熱・防湿・熱反射構造を得ることができ、また、建物の構造・躯体全体への通気性を向上させると共に、輻射熱を遮断することができ、しかも簡単に施工ができる。さらに、将来の増改築等にも容易に対応することができる。さらにまた、床下暖房の併設により、冬の室内の温度及び湿度をほぼ一定の状態に維持することができる。
【発明を実施するための最良の形態】
【００２３】
まず、新築住宅に本発明に係る住宅の断熱・防湿・熱反射構造を適用した場合を、第１の実施形態として図１乃至図３に基づいて説明する。なお、図１は本発明に係る住宅の断熱・防湿・熱反射構造の第１の実施形態を示した外壁の断面図であって、図３のＩ−Ｉ矢視断面図、図２は本発明に係る住宅の断熱・防湿・熱反射構造の第１の実施形態を示した間仕切壁の断面図であって、図３のＩＩ−ＩＩ矢視断面図、図３は本発明に係る住宅の断熱・防湿・熱反射構造の第１の実施形態を採用した家屋の模式図である。
【００２４】
この断熱・防湿・熱反射構造は、図１に示すように、柱２１及び間柱２２等からなる構造・躯体２の室内側に断熱・防湿・熱反射に優れたシート（以下、単に断熱シートと称する。）１が配設され、更に胴ぶち３を介して内装仕上材４が設けられている。
一方、構造・躯体２の室外側は、一般的な住宅と同様に、構造用合板５が設けられ、胴ぶち３を介して外装仕上材６が設けられている。
なお、構造用合板５と外装仕上材６との間に設けられる胴ぶち３により、空間８２が形成されている。
【００２５】
そして、前記断熱シート１と構造用合板５との間には、外気に通じる通気路７が形成される。この通気路７を形成したことにより、空気が流通し、後述するように、構造・躯体２の内部の通気、換気性が向上する。
なお、図示しないが、構造用合板５には、柱２１と間柱２２との間に直径６ｍｍ程度の穴が６箇所設けられている。これにより、通気層７と空間８２との間で通気性を持たせている。
また、断熱シート１と内装仕上材４との間には、胴ぶち３により空間８１が形成され、この空間８１にコンセント９、その他の電気配線や器具等を設置することができる。このように、断熱シート１の室内側に電気配線や器具等を設けることができるため、断熱・防湿・熱反射効果を損なうことはない。
【００２６】
ここで、前記断熱シート１としては、熱反射シートを用いることが好ましい。この熱反射シートは、多数の小さな空気室が設けられたエアマットの表裏面を、アルミ箔で覆った３層構造をなしている。
前記エアマットには多数の小さな空気室が設けられているため、断熱機能があり、アルミ箔には熱反射、防湿機能がある。特に、アルミ箔は輻射熱を反射するため、エアマットの蓄熱を抑制できる。
【００２７】
しかも、この熱反射シートは、前記したように３層構造の一つの部材として形成されているため、一つの部材であるこの断熱シート（熱反射シート）１を取付けることにより、容易に断熱・防湿・熱反射機能を得ることができる。
更に、断熱シート（熱反射シート）１の厚さは、約８ｍｍ程度になすことができる。このため、構造・躯体２の室内側に配設した場合であっても、室内スペースを殆ど狭めることがない。
【００２８】
次に、部屋の間仕切壁の断熱・防湿・熱反射構造について、図２に基づいて説明する。
部屋の間仕切壁にあっては、柱２１及び間柱２２等からなる構造・躯体２の両側に断熱シート１が配設されている。また断熱シート１の室内側には胴ぶち３、更に内装仕上材４が設けられている。
このように構成することにより、間仕切壁内に、外気に通じる通気路７が形成されると共に、断熱シート１と内装仕上材４との間に空間８１が形成される。
したがって、図１に示した外壁における断熱・防湿・熱反射構造と同様に、部屋の間仕切壁の断熱・防湿・熱反射構造においても、前記通気路７を空気が流通し、後述するように、構造・躯体２の内部の通気、換気性を向上させることができる。また、前記空間８１により、電気配線や器具等の設置スペースを確保することもできる。
【００２９】
次に、部屋の天井及び床について、図３に基づいて説明する。
部屋の天井にあっては、天井野縁１１の下（室内側）に断熱シート１が配設され、更に天井野縁１１を介して天井仕上材１２が設けられている。
また、部屋の床にはあっては、１階が土台１３及び大引き１４の上、２階が構造躯体２の上に床下地合板１６が設けられ、この床下地合板１６の上であって、床根太１５の下に断熱シート１が配設されている。
そして、この床根太１５の上に床下地合板１６を介して床仕上材１７が設けられる点は通常の建物と同様である。
【００３０】
更に、前記した断熱・防湿・熱反射構造は、図３に示すように、各部屋毎に施工される。このように各部屋毎に施工されるため、各部屋毎に断熱・防湿・熱反射の効果を得ることができる。
このとき、前記構造用合板５と前記外壁仕上材６との間の空間８２は、上下端部、あるいは屋根上端部が通気口となり、図３に矢視するように外気が流入する。
そして前記空間８２を通過して、外部に流出する。また、構造・躯体２内に形成される通気路７も、前記空間８２と同様に、外壁仕上材６の上下端部、あるいは屋根上端部が通気口となり、矢視するように外気が流入する。そして前記通気路７を通過して、外部に流出する。
即ち、前記空間８２、通気路７には外気が流入し、また空間８２、通気路７の空気は、いずれかの通気口から抜け、換気されることになる。
なお、断熱シート１と内装仕上材４との間に形成される空間８１から室内側は、断熱シート１によって密閉されているため、外気が侵入することはない。
【００３１】
このように、断熱シート１と内装仕上材４との間に形成される空間８１から室内側には外気が侵入しないため、室内環境を外部環境から遮断でき、室内の環境を好適なものとすることができる。即ち、各部屋毎に断熱・防湿・熱反射の効果を得ることができる。
一方、構造・躯体２の内部に外気が流入するように構成されているため、特に、住宅内部に位置する構造・躯体２の内部に外気が入るように構成されているため、住宅内部の構造・躯体２に結露によるかびが発生したり、構造・躯体２等の腐敗が生じたりすることはなく、住宅の耐久性も向上することになる。
【００３２】
なお、屋根裏１０を有する場合には、屋根垂木１８の下及び屋根裏１０を構成する構造・躯体２の上に断熱シート１を配設することにより、屋根裏１０からの断熱・防湿効果の向上に加え、太陽の輻射熱による温度上昇を防止することができる。
【００３３】
次に、本発明に係る住宅の断熱・防湿・熱反射構造の第２の実施形態を、図４に基づいて説明する。なお、図４は本発明に係る住宅の断熱・防湿・熱反射構造の第２の実施形態を示した断面図であって、図１、図２の相当する図である。
この実施形態にあっては、図４（ａ），図４（ｂ）に示すように、室内側の胴ぶち３を省略し、構造・躯体２に配設される断熱シート１を屈曲させることにより、断熱シート１と内装仕上材４との間に空間８１を形成した点に特徴を有している。他の構成は、第一の実施形態と同一の構成を備えている。
【００３４】
このような構造を採用することにより、室内側に設けられる胴ぶち３を省略でき、室内スペースを前記胴ぶち３の幅寸法分、広く確保することができる。
また、断熱シート１と内装仕上材４との間に空間８１が形成され、第１の実施形態の場合と同様に、空間８１から室内側には外気が侵入しないため、室内環境を外部環境から遮断でき、室内の環境を好適なものとすることができる。即ち、各部屋毎に断熱・防湿・熱反射の効果を得ることができる。
更に、構造・躯体２の内部（通気路７）には外気が流入するように構成されているため、特に、住宅内部に位置する構造・躯体２の内部（通気路７）に外気が入るように構成されているため、住宅内部の構造・躯体２に結露によるかびが発生したり、構造・躯体２等の腐敗が生じたりすることはなく、住宅の耐久性も向上することになる。
【００３５】
次に、本発明に係る住宅の断熱・防湿・熱反射構造の第３の実施形態を図５に基づいて説明する。なお、図５は本発明に係る住宅の断熱・防湿・断熱構造の第３の実施形態を示した断面図であり、図１，２に相当する図である。
この実施形態にあっては、図５（ａ），図５（ｂ）に示すように、室内側の胴ぶち３を省略すると共に、断熱シート１と内装仕上材４との間に空間８１が形成されないように、断熱シート１と内装仕上材４とを取り付けた点に特徴を有している。他の構成は、第一の実施形態と同一の構成を備えている。
この構造を採用することにより、胴ぶち３を省略できるため、室内側に設けられる胴ぶち３を省略でき、室内スペースを前記胴ぶち３の幅寸法分、広く確保することができる。
【００３６】
また、構造・躯体２の内部（通気路７）には外気が流入するように構成されているため、特に、住宅内部に位置する構造・躯体２の内部（通気路７）に外気が入るように構成されているため、住宅内部の構造・躯体２に結露によるかびが発生したり、構造・躯体等の腐敗が生じたりすることはなく、住宅の耐久性も向上することになる。
なお、断熱シート１と内装仕上材４との間に空間８１が形成されていないため、断熱シート１を屈曲する必要がなく、第２の実施形態よりも施工が容易である。
【００３７】
次に、断熱工法が用いられていない既存住宅に本発明に係る住宅の断熱・防湿・熱反射構造を適用した場合を、第４の実施形態として、図６及び図７に基づいて説明する。尚、図６は本発明に係る住宅の断熱・防湿・熱反射構造を既存家屋に採用した断面図であって、（ａ）は図７のＡ−Ａ矢視断面図、（ｂ）は図７のＢ−Ｂ矢視断面図、図７は本発明に係る住宅の断熱・防湿・熱反射構造を既存家屋に採用した家屋の模式図を示している。
【００３８】
まず、既存住宅にあっては、図６（ａ）に示すように、柱２１及び間柱２２等からなる構造・躯体２の室内側に，既存の内装仕上材１９が設けられ、外側に構造用合板５が取付けられ、更に、その構造用合板５に外装仕上材６が取付けられている。また構造用合板５と内装仕上材１９の間には、通気路７が設けられている。また、図６（ｂ）に示すように、間仕切壁にあっては、柱２１及び間柱２２等からなる構造・躯体２の室内側に，既存の内装仕上材１９が設けられ、通気路７が設けられている。
【００３９】
このように構成されている既存住宅に対して、住宅の断熱・防湿・熱反射構造を施工するには、図６（ａ）、図６（ｂ）に示すように、既存の内装仕上材１９の室内側面に、断熱シート１を配設し、更に、その上に胴ぶち３を介して内装仕上材４を設けることによりなされる。
このように、既存住宅における既存の内装仕上材１９の室内側面の全面に、断熱シート１を配設し、その上に胴ぶち３を介して内装仕上材４を設けるという、簡単、かつ容易な施工により、既存住宅に断熱材を施工することができる。
【００４０】
また、部屋の天井及び床について、図７に基づいて説明する。
部屋の天井にあっては、天井野縁１１の下（室内側）に、既存の天井仕上材２０が設けられている。このような既存住宅の天井仕上げ材２０の室内側に断熱シート１が配設され、更に天井野縁１１を介して、天井仕上材１２が設けられている。
また、部屋の床にはあっては、既存の床３０の室内側に断熱シート１が配設され、更にその上に床根太１５、床下地合板１６、床仕上材１７が順に設けられている。そして、この床根太１５の上に床下地合板１６を介して床仕上材１７が設けられる点は通常の建物と同様である。
【００４１】
このような構成を採用することにより、前記実施形態１〜３の場合と同様な効果を得ることができる。
特に、断熱・防湿・熱反射構造を施工した後においても、図７に矢視するように、間仕切壁の構造・躯体２内にまで外気を取り入れることができる。このため、断熱・防湿・熱反射効果に加え、既存の通気性に優れた構造をそのまま維持することができる。
また、既存の外壁、内壁を壊すことなく、簡単、かつ安価に断熱・防湿・熱反射構造を得ることができる。
なお、屋根裏１０に関しては、図３に示した実施形態と同様に、屋根垂木１８の下及び屋根裏１０を構成する構造・躯体２の上に断熱シート１を配設することが好ましい。
【００４２】
次に、本発明に係る住宅の断熱・防湿・熱反射構造を既存住宅に適用した別の実施形態を第５の実施形態として、図８に基づいて説明する。尚、図８は、本発明に係る住宅の断熱・防湿・熱反射構造を既存家屋に採用した第５の実施形態を示す断面図であり、図６に相当する図である。
この実施形態にあっては、図８（ａ），図８（ｂ）に示すように、既存の内装仕上材１９に断熱シート１を配設し、胴ぶち３を省略して、内装仕上材４を前記断熱シート１の上に直接設けた点に特徴がある。
この構造によれば、胴ぶち３を省略できるため、第４の実施形態の場合に比べて、室内スペースを広く確保することができる。また、構造・躯体２内の通気路７は確保されているため、前記第４の実施形態と同様に、住宅内部に位置する構造・躯体に結露によるかびが発生したり、構造・躯体等の腐敗が生じたりすることはなく、住宅の耐久性も向上することになる。
【００４３】
次に、本発明に係る住宅の断熱・防湿・熱反射構造に床下暖房を設けた実施形態を、第６の実施形態として、図９に基づいて説明する。尚、図９は、本発明に係る住宅の断熱・防湿・熱反射構造に床下暖房を採用した断面図を示している。
【００４４】
各部屋又は任意の部屋の床には、図９に示すように、床下地合板１６（増改築等の場合は、既存の床仕上材３０）に断熱シート１が配設され、さらに根太１５、床下地合板１６、床仕上板１７が設けられている。
また、床下地合板１６（既存の床仕上材３０）と複数の根太１５によって形成されるスペースには、温水配管３１が設けられている。
そして、各部屋毎に設けられる断熱シート１により、温水配管３１の暖気が壁面、天井面にまで配され、室内を効率良く暖めることができ、また、室内の温度及び湿度をほぼ一定の状態に維持することができる。さらに、既存住宅への断熱シートを施工する増改築等の工事において簡単に床下暖房を設けることができる。
【００４５】
また、この実施形態に用いる床下暖房は、温水配管３１を用いたものであればよく、モルタルで温水配管を覆って蓄熱する方式と、温水配管３１を露出配管とし床下地合板と床仕上材に蓄熱する方式の何れの方式であっても良い。
【００４６】
以上の実施形態においては、断熱シート１を熱反射シートとして説明しているが、本発明の断熱シートは熱反射シートに限らず、板状断熱材のポリスチレンフォームの表裏面を熱反射・防湿性のあるアルクラフト紙で覆った３層構造の断熱材を用いることもできる。
また、上記実施形態においては、木造住宅を例として説明しているが、ＲＣ造、Ｓ造住宅にも適用できる。
【図面の簡単な説明】
【００４７】
【図１】本発明に係る住宅の断熱・防湿・熱反射構造の第１の実施形態を示した外壁の断面図であって、図３のＩ−Ｉ矢視断面図である。
【図２】本発明に係る住宅の断熱・防湿・熱反射構造の第１の実施形態を示した間仕切壁の断面図であって、図３のＩＩ−ＩＩ矢視断面図である。
【図３】本発明に係る住宅の断熱・防湿・熱反射構造の第１の実施形態を採用した家屋の模式図である。
【図４】本発明に係る住宅の断熱・防湿・熱反射構造の第２の実施形態を示した断面図であって、図１、図２の相当する図である。
【図５】本発明に係る住宅の断熱・防湿・断熱構造の第３の実施形態を示した断面図であり、図１，２に相当する図である。
【図６】本発明に係る住宅の断熱・防湿・熱反射構造を既存家屋に採用した断面図であって、（ａ）は図７のＡ−Ａ矢視断面図、（ｂ）は図７のＢ−Ｂ矢視断面図である。
【図７】本発明に係る住宅の断熱・防湿・熱反射構造を既存家屋に採用した家屋の模式図である。
【図８】本発明に係る住宅の断熱・防湿・熱反射構造を既存家屋に採用した第５の実施形態を示す断面図であり、図６に相当する図である。
【図９】本発明に係る住宅の断熱・防湿・熱反射構造に床下暖房を採用した断面図である。
【図１０】従来の断熱工法（外張工法）の説明図である。
【図１１】従来の断熱工法（充填工法）の説明図である。
【符号の説明】
【００４８】
１  ・・・断熱シート
２  ・・・構造・躯体
２１・・・柱
２２・・・間柱
３  ・・・胴ぶち
４  ・・・内装仕上材
５  ・・・構造用合板
６  ・・・外装仕上材
７  ・・・通気路
８  ・・・空間
９  ・・・コンセント
１０・・・屋根裏
１１・・・天井野縁
１２・・・天井仕上材
１３・・・土台
１４・・・大引き
１５・・・床根太
１６・・・床下地合板
１７・・・床仕上材
１８・・・屋根垂木
１９・・・既存の内装仕上材
２０・・・既存の天井仕上材
３０・・・既存の床仕上材
３１・・・温水配管
【図１】
2006249769.tif 000003
【図２】
2006249769.tif 000004
【図３】
2006249769.tif 000005
【図４】
2006249769.tif 000006
【図５】
2006249769.tif 000007
【図６】
2006249769.tif 000008
【図７】
2006249769.tif 000009
【図８】
2006249769.tif 000010
【図９】
2006249769.tif 000011
【図１０】
2006249769.tif 000012
【図１１】
2006249769.tif 000013